(57)【要約】  本開示のいくつかの態様は、異種ネットワーク（ＨｅｔＮｅｔ）における多地点協調（ＣｏＭＰ）送信および受信のための電力制御およびＳＲＳ多重化のための技法に関する。複数のＳＲＳプロセスが、異なる物理セルＩＤおよび／または仮想セルＩＤによってサポートされる。異なる電力制御オフセットおよびプロセスが、異なるＳＲＳプロセスに関連付けられる。【選択図】      図１１
2014533899.tif 000002
【特許請求の範囲】
【請求項１】
ユーザ機器（ＵＥ）によるワイヤレス通信のための方法であって、
現在前記ＵＥにサービスしており、第１のセル識別子に関連付けられた第１の１つまたは複数の基地局を対象とする第１のサウンディング基準信号（ＳＲＳ）を送信することと、
第２のセル識別子に関連付けられた第２の１つまたは複数の基地局を対象とする第２のＳＲＳを送信することと、
別個の電力制御方式を用いて第１および第２のＳＲＳの送信電力を調整することとを備える、方法。
【請求項２】
前記ＵＥが、周期的に前記第１および前記第２のＳＲＳの少なくとも一方を送信するように構成される、請求項１に記載の方法。
【請求項３】
前記ＵＥが、非周期的に前記第１および前記第２のＳＲＳの少なくとも一方を送信するように構成される、請求項１に記載の方法。
【請求項４】
別個の電力制御方式を用いて第１および第２のＳＲＳの前記送信電力を調整することが、
第１の電力制御方式を用いて前記第１のＳＲＳを調整することと、
第２の電力制御方式を用いて前記第２のＳＲＳを調整することとを備え、前記第１の電力制御方式が、前記第１のＳＲＳが前記第１のＳＲＳと異なる送信電力で送信される結果をもたらす、請求項１に記載の方法。
【請求項５】
前記第１の電力制御方式が、基地局からの送信電力制御（ＴＰＣ）コマンドを有するアウター電力制御ループを利用する、請求項４に記載の方法。
【請求項６】
前記第２の電力制御方式が、アウター電力制御ループを利用しない、請求項５に記載の方法。
【請求項７】
前記第１の電力制御方式の前記ＴＰＣコマンドが、他の物理アップリンクチャネルに適用されるＴＰＣコマンドと異なる、請求項５に記載の方法。
【請求項８】
前記第２のセル識別子が、前記ＵＥとの多地点協調（ＣｏＭＰ）動作に関与する複数の基地局に関連付けられた仮想セル識別子を備える、請求項１に記載の方法。
【請求項９】
前記第２のセル識別子が、隣接セルに関連付けられたセル識別子を備える、請求項１に記載の方法。
【請求項１０】
第１の基地局によるワイヤレス通信のための方法であって、
現在前記ＵＥにサービスしており、第１のセル識別子に関連付けられた第１の１つまたは複数の基地局を対象とする第１のサウンディング基準信号（ＳＲＳ）を送信するようにユーザ機器（ＵＥ）を構成することと、
第２のセル識別子に関連付けられた第２の１つまたは複数の基地局を対象とする第２のＳＲＳを送信するように前記ＵＥを構成することと、
別個の電力制御方式を用いて第１および第２のＳＲＳの前記送信電力を調整するために、前記ＵＥに対する１つまたは複数の送信電力制御（ＴＰＣ）コマンドを送ることとを備える、方法。
【請求項１１】
前記ＵＥが、周期的に前記第１および前記第２のＳＲＳの少なくとも一方を送信するように構成される、請求項１０に記載の方法。
【請求項１２】
前記ＵＥが、非周期的に前記第１および前記第２のＳＲＳの少なくとも一方を送信するように構成される、請求項１０に記載の方法。
【請求項１３】
前記１つまたは複数のＴＰＣコマンドが、前記第１の電力制御方式のアウター電力制御ループ内で利用されるＴＰＣコマンドを備える、請求項１０に記載の方法。
【請求項１４】
前記１つまたは複数のＴＰＣコマンドが、前記第２の電力制御方式のアウター電力制御ループ内で利用される別個のＴＰＣコマンドをさらに備える、請求項１３に記載の方法。
【請求項１５】
１つまたは複数の他の物理アップリンクチャネルの送信電力を調節するために前記ＵＥによって適用されるＴＰＣコマンドを送信することをさらに備える、請求項１３に記載の方法。
【請求項１６】
前記第２のセル識別子が、前記ＵＥとの多地点協調（ＣｏＭＰ）動作に関与する複数の基地局に関連付けられた仮想セル識別子を備える、請求項１０に記載の方法。
【請求項１７】
前記第２のセル識別子が、隣接セルに関連付けられたセル識別子を備える、請求項１０に記載の方法。
【請求項１８】
ユーザ機器（ＵＥ）によるワイヤレス通信のための装置であって、
現在前記ＵＥにサービスしており、第１のセル識別子に関連付けられた第１の１つまたは複数の基地局を対象とする第１のサウンディング基準信号（ＳＲＳ）を送信するための手段と、
第２のセル識別子に関連付けられた第２の１つまたは複数の基地局を対象とする第２のＳＲＳを送信するための手段と、
別個の電力制御方式を用いて第１および第２のＳＲＳの送信電力を調整するための手段とを備える、装置。
【請求項１９】
前記ＵＥが、周期的に前記第１および前記第２のＳＲＳの少なくとも一方を送信するように構成される、請求項１８に記載の装置。
【請求項２０】
前記ＵＥが、非周期的に前記第１および前記第２のＳＲＳの少なくとも一方を送信するように構成される、請求項１８に記載の装置。
【請求項２１】
別個の電力制御方式を用いて第１および第２のＳＲＳの前記送信電力を調整することが、
第１の電力制御方式を用いて前記第１のＳＲＳを調整することと、
第２の電力制御方式を用いて前記第２のＳＲＳを調整することとを備え、前記第１の電力制御方式が、前記第１のＳＲＳが前記第１のＳＲＳと異なる送信電力で送信される結果をもたらす、請求項１８に記載の装置。
【請求項２２】
前記第１の電力制御方式が、基地局からの送信電力制御（ＴＰＣ）コマンドを有するアウター電力制御ループを利用する、請求項２１に記載の装置。
【請求項２３】
前記第２の電力制御方式が、アウター電力制御ループを利用しない、請求項２２に記載の装置。
【請求項２４】
前記第１の電力制御方式の前記ＴＰＣコマンドが、他の物理アップリンクチャネルに適用されるＴＰＣコマンドと異なる、請求項２２に記載の装置。
【請求項２５】
前記第２のセル識別子が、前記ＵＥとの多地点協調（ＣｏＭＰ）動作に関与する複数の基地局に関連付けられた仮想セル識別子を備える、請求項１８に記載の装置。
【請求項２６】
前記第２のセル識別子が、隣接セルに関連付けられたセル識別子を備える、請求項１８に記載の装置。
【請求項２７】
第１の基地局によるワイヤレス通信のための装置であって、
現在前記ＵＥにサービスしており、第１のセル識別子に関連付けられた第１の１つまたは複数の基地局を対象とする第１のサウンディング基準信号（ＳＲＳ）を送信するようにユーザ機器（ＵＥ）を構成するための手段と、
第２のセル識別子に関連付けられた第２の１つまたは複数の基地局を対象とする第２のＳＲＳを送信するように前記ＵＥを構成するための手段と、
別個の電力制御方式を用いて第１および第２のＳＲＳの送信電力を調整するために、前記ＵＥに対する１つまたは複数の送信電力制御（ＴＰＣ）コマンドを送るための手段とを備える、装置。
【請求項２８】
前記ＵＥが、周期的に前記第１および前記第２のＳＲＳの少なくとも一方を送信するように構成される、請求項２７に記載の装置。
【請求項２９】
前記ＵＥが、非周期的に前記第１および前記第２のＳＲＳの少なくとも一方を送信するように構成される、請求項２７に記載の装置。
【請求項３０】
前記１つまたは複数のＴＰＣコマンドが、前記第１の電力制御方式のアウター電力制御ループ内で利用されるＴＰＣコマンドを備える、請求項２７に記載の装置。
【請求項３１】
前記１つまたは複数のＴＰＣコマンドが、前記第２の電力制御方式のアウター電力制御ループ内で利用される別個のＴＰＣコマンドをさらに備える、請求項３０に記載の装置。
【請求項３２】
１つまたは複数の他の物理アップリンクチャネルの送信電力を調節するために前記ＵＥによって適用されるＴＰＣコマンドを送信するための手段をさらに備える、請求項３０に記載の装置。
【請求項３３】
前記第２のセル識別子が、前記ＵＥとの多地点協調（ＣｏＭＰ）動作に関与する複数の基地局に関連付けられた仮想セル識別子を備える、請求項２７に記載の装置。
【請求項３４】
前記第２のセル識別子が、隣接セルに関連付けられたセル識別子を備える、請求項２７に記載の装置。
【請求項３５】
ユーザ機器（ＵＥ）によるワイヤレス通信のための装置であって、
現在前記ＵＥにサービスしており、第１のセル識別子に関連付けられた第１の１つまたは複数の基地局を対象とする第１のサウンディング基準信号（ＳＲＳ）を送信し、第２のセル識別子に関連付けられた第２の１つまたは複数の基地局を対象とする第２のＳＲＳを送信し、別個の電力制御方式を用いて第１および第２のＳＲＳの送信電力を調整するように構成された少なくとも１つのプロセッサと、
前記少なくとも１つのプロセッサに結合されたメモリとを備える、装置。
【請求項３６】
第１の基地局によるワイヤレス通信のための装置であって、
現在ＵＥにサービスしており、第１のセル識別子に関連付けられた第１の１つまたは複数の基地局を対象とする第１のサウンディング基準信号（ＳＲＳ）を送信するようにユーザ機器（ＵＥ）を構成し、第２のセル識別子に関連付けられた第２の１つまたは複数の基地局を対象とする第２のＳＲＳを送信するように前記ＵＥを構成し、別個の電力制御方式を用いて第１および第２のＳＲＳの送信電力を調整するために前記ＵＥに対して１つまたは複数の送信電力制御（ＴＰＣ）コマンドを送る、ように構成された少なくとも１つのプロセッサと、
前記少なくとも１つのプロセッサに結合されたメモリとを備える、装置。
【請求項３７】
命令が記憶されているコンピュータ可読媒体を備えるコンピュータプログラム製品であって、前記命令が、
現在ＵＥにサービスしており、第１のセル識別子に関連付けられた第１の１つまたは複数の基地局を対象とする第１のサウンディング基準信号（ＳＲＳ）を送信することと、
第２のセル識別子に関連付けられた第２の１つまたは複数の基地局を対象とする第２のＳＲＳを送信することと、
別個の電力制御方式を用いて第１および第２のＳＲＳの送信電力を調整することとのために、１つまたは複数のプロセッサによって実行可能である、コンピュータプログラム製品。
【請求項３８】
命令が記憶されているコンピュータ可読媒体を備えるコンピュータプログラム製品であって、前記命令が、
現在前記ＵＥにサービスしており、第１のセル識別子に関連付けられた第１の１つまたは複数の基地局を対象とする第１のサウンディング基準信号（ＳＲＳ）を送信するようにユーザ機器（ＵＥ）を構成することと、
第２のセル識別子に関連付けられた第２の１つまたは複数の基地局を対象とする第２のＳＲＳを送信するように前記ＵＥを構成することと、
別個の電力制御方式を用いて第１および第２のＳＲＳの送信電力を調整するために、前記ＵＥに対する１つまたは複数の送信電力制御（ＴＰＣ）コマンドを送ることとのために、１つまたは複数のプロセッサによって実行可能である、コンピュータプログラム製品。
【発明の詳細な説明】
【技術分野】
【０００１】
[0001]本開示のいくつかの態様は、一般に、ワイヤレス通信に関し、より詳細には、異種ネットワーク（ＨｅｔＮｅｔ）における多地点協調（ＣｏＭＰ）送信および受信のための電力制御およびユーザ多重化のための技法に関する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]ワイヤレス通信ネットワークは、いくつかのユーザ機器（ＵＥ）の通信をサポートすることができるいくつかの基地局（ＢＳ）を含むことができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]基地局は、ＵＥにダウンリンク上でデータおよび制御情報を送信し得、および／またはＵＥからアップリンク上でデータおよび制御情報を受信し得る。ダウンリンク上では、基地局からの送信では、隣接基地局からの送信により干渉を認める可能性がある。アップリンク上では、ＵＥからの送信は、隣接基地局と通信する他のＵＥからの送信に対して干渉を引き起こす可能性がある。干渉は、ダウンリンクとアップリンクで共に性能を劣化させるおそれがある。
【発明の概要】
【０００５】
[0005]本開示のいくつかの態様は、ユーザ機器（ＵＥ）によるワイヤレス通信のための方法を提供する。方法は、一般に、現在ＵＥにサービスしており、第１のセル識別子に関連付けられた第１の１つまたは複数の基地局を対象とする第１のサウンディング（sounding）基準信号（ＳＲＳ）を送信することと、第２のセル識別子に関連付けられた第２の１つまたは複数の基地局を対象とする第２のＳＲＳを送信することと、別個の電力制御方式を用いて第１および第２のＳＲＳの送信電力を調整することとを備える。
【０００６】
[0006]本開示のいくつかの態様は、基地局（ＢＳ）によるワイヤレス通信のための方法を提供する。方法は、一般に、現在ＵＥにサービスしており、第１のセル識別子に関連付けられた第１の１つまたは複数の基地局を対象とする第１のサウンディング基準信号（ＳＲＳ）を送信するようにユーザ機器（ＵＥ）を構成することと、第２のセル識別子に関連付けられた第２の１つまたは複数の基地局を対象とする第２のＳＲＳを送信するようにＵＥを構成することと、別個の電力制御方式を用いて第１および第２のＳＲＳの送信電力を調整するためにＵＥに対して１つまたは複数の送信電力制御（ＴＰＣ）コマンドを送ることとを含む。
【０００７】
[0007]本開示のいくつかの態様は、ユーザ機器（ＵＥ）によるワイヤレス通信のための装置を提供する。装置は、一般に、現在ＵＥにサービスしており、第１のセル識別子に関連付けられた第１の１つまたは複数の基地局を対象とする第１のサウンディング基準信号（ＳＲＳ）を送信し、第２のセル識別子に関連付けられた第２の１つまたは複数の基地局を対象とする第２のＳＲＳを送信し、別個の電力制御方式を用いて第１および第２のＳＲＳの送信電力を調整するように構成された少なくとも１つのプロセッサと、少なくとも１つのプロセッサに結合されたメモリとを含む。
【０００８】
[0008]本開示のいくつかの態様は、第１の基地局によるワイヤレス通信のための装置を提供する。装置は、一般に、現在ＵＥにサービスしており、第１のセル識別子に関連付けられた第１の１つまたは複数の基地局を対象とする第１のサウンディング基準信号（ＳＲＳ）を送信するようにユーザ機器（ＵＥ）を構成し、第２のセル識別子に関連付けられた第２の１つまたは複数の基地局を対象とする第２のＳＲＳを送信するようにＵＥを構成し、別個の電力制御方式を用いて第１および第２のＳＲＳの送信電力を調整するためにＵＥに対して１つまたは複数の送信電力制御（ＴＰＣ）コマンドを送るように構成された少なくとも１つのプロセッサと、少なくとも１つのプロセッサに結合されたメモリとを含む。
【０００９】
[0009]本開示のいくつかの態様は、命令が記憶されているコンピュータ可読媒体を備えるコンピュータプログラム製品を提供する。命令は、一般に、現在ＵＥにサービスしており、第１のセル識別子に関連付けられた第１の１つまたは複数の基地局を対象とする第１のサウンディング基準信号（ＳＲＳ）を送信することと、第２のセル識別子に関連付けられた第２の１つまたは複数の基地局を対象とする第２のＳＲＳを送信することと、別個の電力制御方式を用いて第１および第２のＳＲＳの送信電力を調整することとのために１つまたは複数のプロセッサによって実行可能である。
【００１０】
[0010]本開示のいくつかの態様は、命令が記憶されているコンピュータ可読媒体を備えるコンピュータプログラム製品を提供する。命令は、一般に、現在ＵＥにサービスしており、第１のセル識別子に関連付けられた第１の１つまたは複数の基地局を対象とする第１のサウンディング基準信号（ＳＲＳ）を送信するようにユーザ機器（ＵＥ）を構成することと、第２のセル識別子に関連付けられた第２の１つまたは複数の基地局を対象とする第２のＳＲＳを送信するようにＵＥを構成することと、別個の電力制御方式を用いて第１および第２のＳＲＳの送信電力を調整するためにＵＥに対して１つまたは複数の送信電力制御（ＴＰＣ）コマンドを送ることとのために１つまたは複数のプロセッサによって実行可能である。
【図面の簡単な説明】
【００１１】
【図１】[0011]本開示のいくつかの態様による、ワイヤレス通信ネットワークの一例を概念的に示すブロック図。
【図２】[0012]本開示のいくつかの態様による、ワイヤレス通信ネットワークにおけるフレーム構造の一例を概念的に示すブロック図。
【図２Ａ】[0013]本開示のいくつかの態様による、Ｌｏｎｇ  Ｔｅｒｍ  Ｅｖｏｌｕｔｉｏｎ（ＬＴＥ）におけるアップリンクのための例示的なフォーマットを示す図。
【図３】[0014]本開示のいくつかの態様による、ワイヤレス通信ネットワーク内のユーザ機器デバイス（ＵＥ）と通信するノードＢの一例を概念的に示すブロック図。
【図４】[0015]本開示のいくつかの態様による、例示的な異種ネットワーク（ＨｅｔＮｅｔ）を示す図。
【図５】[0016]本開示のいくつかの態様による、異種ネットワークにおける例示的なリソース区分を示す図。
【図６】[0017]本開示のいくつかの態様による、異種ネットワークにおけるサブフレームの例示的な協働区分を示す図。
【図７】[0018]異種ネットワーク中の、レンジ拡張されたセルラー領域を示す図。
【図８】[0019]本開示のいくつかの態様による、マクロｅＮＢとリモートラジオヘッド（ＲＲＨ）とを有するネットワークを示す図。
【図９】[0020]本開示の態様による、例示的なサウンディング基準信号（ＳＲＳ）拡張を示す図。
【図１０】[0021]本開示の態様による、別の例示的なサウンディング基準信号（ＳＲＳ）拡張を示す図。
【図１１】[0022]本開示のいくつかの態様による、ユーザ機器（ＵＥ）において実行される例示的な動作１１００を示す図。
【図１２】[0023]本開示のいくつかの態様による、基地局（たとえば、およびｅＮＢ）において実行される例示的な動作１２００を示す図。
【発明を実施するための形態】
【００１２】
[0024]本開示の態様は、多地点協調（ＣｏＭＰ）システム内で使用するためにサウンディング（sounding）基準信号（ＳＲＳ）プロシージャを拡張（enhance）し得る技法を提供する。以下でより詳細に説明するように、ＣｏＭＰ動作に関わるＵＥは、ＳＲＳ信号の２つの異なるセットを送るように構成され得る。たとえば、ＳＲＳの第１のセットは、サービングセルだけを対象とし得、一方で、ＳＲＳの第２のセットは、複数のセルの合成受信（joint reception）を対象とし得る。
【００１３】
[0025]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実施することができる。ＵＴＲＡは、Ｗｉｄｅｂａｎｄ  ＣＤＭＡ（ＷＣＤＭＡ（登録商標））およびＣＤＭＡの他の変形態を含む。ＣＤＭＡ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実施することができる。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ（登録商標）などといった無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用できる。明確にするために、本技法のいくつかの態様について以下ではＬＴＥに関して説明し、以下の説明の大部分でＬＴＥ用語を使用する。
【００１４】
例示的なワイヤレスネットワーク
[0026]図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ  １１０は、特定の地理的エリアに対して通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。
【００１５】
[0027]ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅＮＢをマクロｅＮＢと称することができる（すなわちマクロセル基地局）。ピコセルのためのｅＮＢをピコｅＮＢと称することができる（すなわちピコ基地局）。フェムトセルのためのｅＮＢをフェムトｅＮＢ（すなわちフェムト基地局）またはホームｅＮＢと呼ぶ。図１に示す例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００１６】
[0028]ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥに対する送信を中継するＵＥとすることができる。図１に示す例では、中継局１１０ｒは、ｅＮＢ  １１０ａとＵＥ  １２０ｒとの間の通信を容易にするために、ｅＮＢ  １１０ａおよびＵＥ  １２０ｒと通信し得る。中継局は、リレーｅＮＢ、リレーなどと呼ばれることもある。
【００１７】
[0029]ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００１８】
[0030]ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００１９】
[0031]ネットワークコントローラ１３０は、ｅＮＢのセットに結合し、これらのｅＮＢの協調および制御を行い得る。ネットワークコントローラ１３０は、バックホール（backhaul）を介してｅＮＢ  １１０と通信し得る。ｅＮＢ  １１０はまた、たとえば、ワイヤレスバックホールまたはワイヤラインバックホールを介して直接または間接的に互いに通信し得る。
【００２０】
[0032]ＵＥ  １２０は、ワイヤレスネットワーク１００全体にわたって分散され得、各ＵＥは、固定でも移動でもよい。ＵＥはまた、端末、移動局、加入者装置、ステーションなどと称することもできる。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。いくつかの態様に対して、ＵＥはＬＴＥ  Ｒｅｌｅａｓｅ  １０  ＵＥを含むことができる。
【００２１】
[0033]ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定とすることができ得、サブキャリアの総数（Ｋ）はシステム帯域幅に依存することができる。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅をサブバンドに区分することもできる。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２２】
[0034]図２に、ＬＴＥにおいて使用されるフレーム構造を示す。ダウンリンクの送信タイムラインは、無線フレームの単位に区分できる。各無線フレームは、所定の持続時間（たとえば、１０ミリ秒（ｍｓ））を有してよく、０から９のインデックスをもつ１０個のサブフレームに区分できる。各サブフレームは、２個のスロットを含み得る。したがって、各無線フレームは、０から１９のインデックスをもつ２０個のスロットを含み得る。各スロットは、Ｌ個のシンボル期間、たとえば、（図２に示すように）通常の巡回プレフィックスの場合はＬ＝７個のシンボル期間、または拡張された巡回プレフィックスの場合はＬ＝６個のシンボル期間を含むことができる。各サブフレーム中の２Ｌ個のシンボル期間には０〜２Ｌ−１のインデックスが割り当てられ得る。利用可能な時間周波数リソースはリソースブロックに区分できる。各リソースブロックは、１つのスロット中でＮ個のサブキャリア（たとえば、１２個のサブキャリア）をカバーし得る。
【００２３】
[0035]ＬＴＥでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、通常のサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨはあるシステム情報を搬送し得る。
【００２４】
[0036]ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、Ｍは、１、２、または３に等しくなり得、サブフレームごとに変化し得る。Ｍはまた、たとえば、リソースブロックが１０個未満である、小さいシステム帯域幅では、４に等しくてもよい。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２５】
[0037]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２６】
[0038]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数全体にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して可能にされ得る。
【００２７】
[0039]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００２８】
[0040]図２Ａに、ＬＴＥにおけるアップリンクのための例示的なフォーマット２００Ａを示す。アップリンクのための使用可能なリソースブロックは、データセクションと制御セクションに区分することができる。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じる。
【００２９】
[0041]制御情報をｅＮＢに送信するために、ＵＥを制御セクション内のリソースブロックに割り振ることができる。ＵＥには、ｅＮＢにデータを送信するためにデータセクション中のリソースブロックも割り当てられ得る。ＵＥは、制御セクション内の割り振られたリソースブロックで物理アップリンク制御チャネル（ＰＵＣＣＨ）２１０ａ、２１０ｂにより制御情報を送信することができる。ＵＥは、データセクション中の割り当てられたリソースブロック上の物理アップリンク共有チャネル（ＰＵＳＣＨ）２２０ａ、２２０ｂ中でデータのみまたはデータと制御情報の両方を送信し得る。アップリンク送信は、サブフレームの両方のスロットにわたり得、図２Ａに示すように周波数全体にわたってホッピングし得る。
【００３０】
[0042]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３１】
[0043]ＵＥは、ＵＥが１つまたは複数の干渉ｅＮＢからの大きな干渉を認め得る、支配的干渉シナリオにおいて動作し得る。支配的干渉シナリオは、制限された関連付けにより発生し得る。たとえば、図１では、ＵＥ  １２０ｙは、フェムトｅＮＢ  １１０ｙに近接し得、ｅＮＢ  １１０ｙについて高い受信電力を有し得る。しかしながら、ＵＥ  １２０ｙは、制限された関連付けによりフェムトｅＮＢ  １１０ｙにアクセスすることができないことがあり、次いで、（図１に示すように）より低い受信電力をもつマクロｅＮＢ  １１０ｃまたはやはりより低い受信電力をもつフェムトｅＮＢ  １１０ｚ（図１に図示せず）に接続し得る。その場合、ＵＥ  １２０ｙは、ダウンリンク上でフェムトｅＮＢ  １１０ｙからの高い干渉を認め得、また、アップリンク上でｅＮＢ  １１０ｙに高い干渉を引き起こし得る。
【００３２】
[0044]支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ  １２０ｘは、マクロｅＮＢ  １１０ｂとピコｅＮＢ  １１０ｘとを検出し得、ｅＮＢ  １１０ｘについて、ｅＮＢ  １１０ｂよりも低い受信電力を有し得る。とはいえ、ｅＮＢ  １１０ｘの経路損失がマクロｅＮＢ  １１０ｂの経路損失よりも低い場合、ＵＥ  １２０ｘはピコｅＮＢ  １１０ｘに接続することが望ましいことがある。これにより、ＵＥ  １２０ｘの所与のデータレートに対してワイヤレスネットワークへの干渉が少なくなり得る。
【００３３】
[0045]一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３４】
[0046]図３は、図１の基地局／ｅＮＢのうちの１つであり得る基地局またはｅＮＢ  １１０および図１のＵＥのうちの１つであり得るＵＥ  １２０の設計のブロック図である。制限付き関連付けシナリオの場合、ｅＮＢ  １１０は図１のマクロｅＮＢ  １１０ｃであり得、ＵＥ  １２０はＵＥ  １２０ｙであり得る。ｅＮＢ  １１０はまた、何らかの他のタイプの基地局であり得る。ｅＮＢ  １１０は、Ｔ個のアンテナ３３４ａ〜３３４ｔを装備し得、ＵＥ  １２０は、Ｒ個のアンテナ３５２ａ〜３５２ｒを装備し得、概して、Ｔ≧１およびＲ≧１である。
【００３５】
[0047]ｅＮＢ  １１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）し、データシンボルと制御シンボルとをそれぞれ取得することができる。送信プロセッサ３２０は、たとえば、ＰＳＳ、ＳＳＳ、およびセル特有の基準信号に対する基準シンボルを生成することもできる。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、ダウンリンク信号を取得するために、出力サンプルストリームを処理（たとえば、アナログへの変換、増幅、フィルタ処理、およびアップコンバート）することができる。変調器３３２ａ〜３３２ｔからのＴ個のダウンリンク信号は、それぞれＴ個のアンテナ３３４ａ〜３３４ｔを介して送信され得る。
【００３６】
[0048]ＵＥ  １２０において、アンテナ３５２ａ〜３５２ｒは、ｅＮＢ  １１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与え得る。
【００３７】
[0049]アップリンク上では、ＵＥ  １２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ  １１０に送信され得る。ｅＮＢ  １１０において、ＵＥ  １２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ  １２０によって送られた復号されたデータおよび制御情報が取得され得る。受信プロセッサ３３８は、復号されたデータをデータシンク３３９に供給し、復号された制御情報をコントローラ／プロセッサ３４０に供給し得る。
【００３８】
[0050]コントローラ／プロセッサ３４０および３８０は、それぞれｅＮＢ  １１０における動作およびＵＥ  １２０における動作を指示し得る。ｅＮＢ  １１０におけるコントローラ／プロセッサ３４０、受信プロセッサ３３８および／または他のプロセッサとモジュールとは、本明細書で説明する技法に対する動作および／または処理を実行するかまたは指示することができる。メモリ３４２および３８２は、それぞれｅＮＢ  １１０およびＵＥ  １２０のためのデータおよびプログラムコードを記憶し得る。スケジューラ３４４は、ダウンリンク上および／またはアップリンク上でのデータ送信のためにＵＥをスケジュールし得る。
【００３９】
例示的なリソース区分
[0051]本開示のいくつかの態様によれば、ネットワークが拡張セル間干渉協調（ｅＩＣＩＣ：enhanced inter-cell interference coordination）をサポートするとき、基地局は、干渉セルがそれのリソースの一部を断念することによって干渉を低減または解消するために、リソースを協調するために互いにネゴシエートし得る。この干渉協調によれば、ＵＥは、干渉セルによってもたらされるリソースを使用することによる厳しい干渉があってもサービングセルにアクセスすることが可能であり得る。
【００４０】
[0052]たとえば、オープンマクロセルのカバレージエリア中の、限定アクセスモードにあるフェムトセル（すなわち、メンバーフェムトＵＥだけがこのセルにアクセスすることができる）は、リソースをもたらすことおよび干渉を効果的に除去することによって、マクロセルのための「カバレージホール」（フェムトセルのカバレージエリア内に）を生成することが可能であり得る。フェムトセルがリソースをもたらすことについてネゴシエートすることによって、フェムトセルカバレージエリアの下のマクロＵＥは、これらのもたらされるリソースを使用してＵＥのサービングマクロセルにアクセスすることが依然として可能であり得る。
【００４１】
[0053]Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）など、ＯＦＤＭを使用する無線アクセスシステムでは、もたらされるリソースは、時間ベース、周波数ベース、または両方の組合せであり得る。協調リソース区分が時間ベースであるとき、干渉セルは、時間領域においてサブフレームの一部を単に使用しないことがある。協調リソース区分が周波数ベースであるとき、干渉セルは、周波数領域においてサブキャリアをもたらし得る。周波数と時間の両方の組合せによって、干渉セルは、周波数リソースおよび時間リソースをもたらし得る。
【００４２】
[0054]図４に、ｅＩＣＩＣは、実線の無線リンク４０２によって示されるように、マクロＵＥ  １２０ｙがフェムトセルｙから厳しい干渉を受けているときでも、ｅＩＣＩＣをサポートするマクロＵＥ  １２０ｙ（たとえば、図４に示すようなＲｅｌ−１０マクロＵＥ）がマクロセル１１０ｃにアクセスすることを可能にし得る例示的なシナリオを示す。破線の無線リンク４０４によって示されるように、レガシーマクロＵＥ  １２０ｕ（たとえば、図４に示すようなＲｅｌ−８マクロＵＥ）は、フェムトセル１１０ｙからの厳しい干渉下でマクロセル１１０ｃにアクセスすることができないことがある。フェムトＵＥ  １２０ｖ（たとえば、図４に示すようなＲｅｌ−８フェムトＵＥ）は、マクロセル１１０ｃからのいかなる干渉問題もなしにフェムトセル１１０ｙにアクセスし得る。
【００４３】
[0055]いくつかの態様によれば、ネットワークはｅＩＣＩＣをサポートし得、区分情報の様々なセットがあり得る。これらのセットのうちの第１のものを、半静的リソース区分情報（ＳＲＰＩ：Semi-Static Resource Partitioning information）と呼ぶことがある。これらのセットのうちの第２のものを、適応型リソース区分情報（ＡＲＰＩ：Adaptive Resource Partitioning information）と呼ぶことがある。文字通り、ＳＲＰＩは、一般に、頻繁に変化せず、ＳＲＰＩはＵＥに送られ得、したがって、ＵＥは、ＵＥ自体の動作のためにリソース区分情報を使用することができる。
【００４４】
[0056]一例として、リソース区分は、８ｍｓの周期性（８つのサブフレーム）または４０ｍｓの周期性（４０個のサブフレーム）で実施され得る。いくつかの態様によれば、周波数リソースも区分され得るように周波数分割複信（ＦＤＤ）も適用され得ると仮定され得る。（たとえば、セルノードＢからＵＥへの）ダウンリンクを介した通信の場合、区分パターンは、知られているサブフレーム（たとえば、４などの整数Ｎの倍数であるシステムフレーム番号（ＳＦＮ：system frame number）値を有する各無線フレームの第１のサブフレーム）にマッピングされ得る。そのようなマッピングは、特定のサブフレームのリソース区分情報（ＲＰＩ）を判断するために適用され得る。一例として、ダウンリンクについての（たとえば、干渉セルによってもたらされる）協調リソース区分の対象となるサブフレームは、次のインデックスによって識別され得る。
【数１】
2014533899.tif 000003
【００４５】
[0058]アップリンクについては、ＳＲＰＩマッピングは、たとえば、４ｍｓだけシフトされ得る。したがって、アップリンクについての例には、以下があり得る。
【数２】
2014533899.tif 000004
【００４６】
[0060]ＳＲＰＩは、各エントリ対して以下の３つの値を使用し得る。
【００４７】
[0061]・  Ｕ（使用）：この値は、サブフレームが、このセルによって使用されるべき支配的干渉からクリーンアップされていること（すなわち、主要な干渉セルがこのサブフレームを使用しないこと）を示す。
【００４８】
[0062]・  Ｎ（使用しない）：この値は、サブフレームが使用されないことを示す。
【００４９】
[0063]・  Ｘ（未知）：この値は、サブフレームが静的に区分されないことを示す。基地局間のリソース使用量ネゴシエーションの詳細はＵＥには知られない。
【００５０】
[0064]ＳＲＰＩの別の可能なパラメータのセットには、以下があり得る。
【００５１】
[0065]・  Ｕ（使用）：この値は、サブフレームが、このセルによって使用されるべき支配的干渉からクリーンアップされていること（すなわち、主要な干渉セルがこのサブフレームを使用しないこと）を示す。
【００５２】
[0066]・  Ｎ（使用しない）：この値は、サブフレームが使用されないことを示す。
【００５３】
[0067]・  Ｘ（未知）：この値は、サブフレームが静的に区分されないことを示す（基地局間のリソース使用量ネゴシエーションの詳細はＵＥには知られない）。
【００５４】
[0068]・  Ｃ（共通）：この値は、すべてのセルがリソース区分なしにこのサブフレームを使用し得ることを示し得る。このサブフレームは干渉を受け得、したがって、基地局は、厳しい干渉を受けていないＵＥのためにのみこのサブフレームを使用することを選択し得る。
【００５５】
[0069]サービングセルのＳＲＰＩは、無線でブロードキャストされ得る。Ｅ−ＵＴＲＡＮでは、サービングセルのＳＲＰＩは、マスタ情報ブロック（ＭＩＢ：master information block）中でまたはシステム情報ブロック（ＳＩＢ：system information block）のうちの１つ中で送られ得る。事前定義されるＳＲＰＩは、セル、たとえば、マクロセル、ピコセル（オープンアクセスの場合）、およびフェムトセル（限定アクセスの場合）の特性に基づいて定義され得る。そのような場合、システムオーバヘッドメッセージにおけるＳＲＰＩの符号化の結果として、無線でのブロードキャストがより効率的に行われ得る。
【００５６】
[0070]基地局はまた、ＳＩＢのうちの１つにおいてネイバーセルのＳＲＰＩをブロードキャストし得る。この場合、ＳＲＰＩは、それの対応する範囲の物理セル識別子（ＰＣＩ：physical cell identifier）を用いて送られ得る。
【００５７】
[0071]ＡＲＰＩは、ＳＲＰＩ中の「Ｘ」サブフレームについての詳細情報をもつさらなるリソース区分情報を表し得る。上記のように、「Ｘ」サブフレームについての詳細情報は、一般に、基地局のみに知られ、ＵＥはそれを知らない。
【００５８】
[0072]図５および図６に、マクロセルおよびフェムトセルを用いたシナリオにおけるＳＲＰＩ割当ての例を示す。Ｕ、Ｎ、ＸまたはＣサブフレームは、Ｕ、Ｎ、ＸまたはＣ  ＳＲＰＩ割当てに対応するサブフレームである。
【００５９】
[0073]図７は、異種ネットワーク中の、レンジ拡張されたセルラー領域を示す図７００である。ＲＲＨ  ７１０ｂなど、より低電力クラスのｅＮＢは、ＲＲＨ  ７１０ｂとマクロｅＮＢ  ７１０ａとの間の拡張セル間干渉協調を通して、かつＵＥ  ７２０によって実行される干渉消去を通して、セルラー領域７０２から拡張された、レンジ拡張されたセルラー領域７０３を有し得る。拡張セル間干渉協調において、ＲＲＨ  ７１０ｂは、マクロｅＮＢ  ７１０ａからＵＥ  ７２０の干渉状態に関する情報を受信する。この情報により、ＲＲＨ  ７１０ｂは、レンジ拡張されたセルラー領域７０３中のＵＥ  ７２０をサービスし、ＵＥ  ７２０がレンジ拡張されたセルラー領域７０３に入るとき、マクロｅＮＢ  ７１０ａからのＵＥ  ７２０のハンドオフを受け入れることができる。
【００６０】
[0074]図８は、本開示のいくつかの態様による、マクロノードといくつかのリモートラジオヘッド（ＲＲＨ）とを含むネットワーク８００を示す図である。マクロノード８０２は、光ファイバーを用いてＲＲＨ  ８０４、８０６、８０８および８１０に接続される。いくつかの態様では、ネットワーク８００は、同種ネットワークまたは異種ネットワークであってよく、ＲＲＨ  ８０４〜８１０は低電力または高電力のＲＲＨであってよい。一態様では、マクロノード８０２は、それ自体およびＲＲＨのために、セル内のすべてのスケジューリングを扱う。ＲＲＨは、マクロノード８０２と同じセル識別子（ＩＤ）によって、または異なるセルＩＤによって構成されてよい。ＲＲＨが同じセルＩＤによって構成される場合、マクロノード８０２およびＲＲＨは、マクロノード８０２によって制御される本質的に１つのセルとして動作することができる。一方、ＲＲＨおよびマクロノード８０２が異なるセルＩＤによって構成される場合、マクロノード８０２およびＲＲＨは、すべての制御およびスケジューリングは依然としてマクロノード８０２によって行われるままであるが、ＵＥにとっては異なるセルであるように見える。マクロノード８０２およびＲＲＨ  ８０４、８０６、８０８、８１０に対する処理は、必ずしもマクロノードに常駐する必要があるとは限らないことをさらに諒解されたい。その処理は、マクロおよびＲＲＨと接続されている何らかの他のネットワークデバイスまたはエンティティにおいて集中的に実行されてもよい。
【００６１】
[0075]本明細書で使用される場合、送信点／受信点（「ＴｘＰ」）という用語は、一般に、同じセルＩＤを有しても異なるセルＩＤを有してもよい少なくとも１つの中央エンティティ（たとえば、ｅＮｏｄｅＢ）によって制御される地理的に離隔された送信ノード／受信ノードを指す。
【００６２】
[0076]いくつかの態様では、ＲＲＨのそれぞれがマクロノード８０２と同じセルＩＤを共有するとき、制御情報が、マクロノード８０２から、またはマクロノード８０２と全ＲＲＨの両方からＣＲＳを使用して送信され得る。ＣＲＳは、一般的には同じリソース要素を使用して送信点のそれぞれから送信され、したがって信号は衝突する。送信点のそれぞれが同じセルＩＤを有するとき、送信点のそれぞれから送信されるＣＲＳは識別されないことがある。いくつかの態様では、ＲＲＨが異なるセルＩＤを有するとき、同じリソース要素を使用してＴｘＰのそれぞれから送信されるＣＲＳは、衝突することもあり、しないこともある。ＲＲＨが異なるセルＩＤを有し、ＣＲＳが衝突する場合でさえ、高度ＵＥは、干渉消去技法と高度受信機処理とを使用して、ＴｘＰのそれぞれから送信されるＣＲＳを識別することができる。
【００６３】
[0077]いくつかの態様では、すべての送信点が同じセルＩＤで構成され、ＣＲＳがすべての送信点から送信されるとき、適切なアンテナ仮想化が、送信しているマクロノードおよび／またはＲＲＨにおいて等しくない数の物理アンテナが存在する場合に必要となる。すなわち、ＣＲＳは、等しい数のＣＲＳアンテナポートを用いて送信されるべきである。たとえば、ノード８０２およびＲＲＨ  ８０４、８０６、８０８が、それぞれ４つの物理アンテナを有し、ＲＲＨ  ８１０が２つの物理アンテナを有する場合、ＲＲＨ  ８１０の第１のアンテナは、２つのＣＲＳポートを使用して送信するように構成され得、ＲＲＨ  ８１０の第２のアンテナは、異なる２つのＣＲＳポートを使用して送信するように構成され得る。代替として、同じ配備に対して、マクロ８０２およびＲＲＨ  ８０４、８０６、８０８は、送信点あたり４つの送信アンテナのうちの選択された２つから、２つのＣＲＳアンテナポートだけを送信することができる。これらの例に基づいて、アンテナポートの数は、物理アンテナの数に対して増加または減少されてよいことを諒解されたい。
【００６４】
[0078]上記で説明したように、すべての送信点が同じセルＩＤで構成されるとき、マクロノード８０２およびＲＲＨ  ８０４〜８１０は、すべて、ＣＲＳを送信することができる。しかしながら、マクロノード８０２だけがＣＲＳを送信する場合、自動利得制御（ＡＧＣ）問題によってＲＲＨの近くでアウテージ（outage）が発生する。そのようなシナリオにおいて、マクロ８０２からのＣＲＳベースの送信は、低受信電力で受信される可能性がある一方で、すぐ近くのＲＲＨから発信した他の送信は、はるかに大きい電力で受信される可能性がある。この電力の不均衡が、前述のＡＧＣ問題につながる可能性がある。
【００６５】
[0079]要約すれば、一般的には、同じセルＩＤセットアップと異なるセルＩＤセットアップとの間の差は、制御およびレガシー問題、ならびにＣＲＳに依存する他の潜在的な動作に関連する。異なるセルＩＤを有するが衝突するＣＲＳ構成のシナリオは、同じセルＩＤセットアップとの類似点を有する可能性があり、当然ながら、衝突するＣＲＳを有する。異なるセルＩＤと衝突するＣＲＳとを有するシナリオは、一般的には、同じセルＩＤの場合に比較して、セルＩＤに依存するシステム特性／コンポーネント（たとえば、スクランブル系列など）がより容易に識別され得るという利点を有する。
【００６６】
[0080]例示的な構成が、同じかまたは異なるセルＩＤを有するマクロ／ＲＲＨセットアップに適用可能である。異なるセルＩＤの場合、ＣＲＳは衝突しているように構成され得、そのことは、同じセルＩＤの場合に類似するシナリオにつながる可能性があるが、セルＩＤに依存するシステム特性（たとえば、スクランブル系列など）が、ＵＥによってより容易に識別され得るという利点を有する。
【００６７】
[0081]いくつかの態様では、例示的なマクロ／ＲＲＨエンティティが、このマクロ／ＲＲＨセットアップの送信点内で、制御／データ送信の分離をもたらすことができる。セルＩＤが各送信点に対して同じであるとき、ＰＤＣＣＨが、マクロノード８０２から、またはマクロノード８０２とＲＲＨ  ８０４〜８１０の両方から、ＣＲＳとともに送信され得る一方で、ＰＤＳＣＨが、送信点のサブセットから、チャネル状態情報基準信号（ＣＳＩ−ＲＳ）および復調基準信号（ＤＭ−ＲＳ）とともに送信され得る。セルＩＤがいくつかの送信点に対して異なるとき、ＰＤＣＣＨが、各セルＩＤ群の中でＣＲＳとともに送信され得る。各セルＩＤ群から送信されるＣＲＳは、衝突することもあり、しないこともある。ＵＥは、同じセルＩＤを有する複数の送信点から送信されるＣＲＳを識別し得ないが、異なるセルＩＤを有する複数の送信点から送信されるＣＲＳを、（たとえば、干渉消去または類似の技法を使用して）識別することができる。
【００６８】
[0082]いくつかの態様では、すべての送信点が同じセルＩＤで構成される場合、制御／データ送信の分離によって、すべての送信点からのＣＲＳ送信に基づいて制御を送信しながら、ＵＥに認識されない、ＵＥをデータ送信のための少なくとも１つの送信点と関連付けることができる。このことで、制御チャネルを共通にしたままで、異なる送信点にわたってデータ送信のためのセル分割（cell splitting）が可能になる。上記の「関連付け」という用語は、データ送信のために特定のＵＥに対するアンテナポートを構成することを意味する。このことは、ハンドオーバの状況において実行される関連付けとは異なる。制御は、上記で説明したように、ＣＲＳに基づいて送信され得る。制御とデータとを分離することで、ハンドオーバ処理を経る必要があることと比較して、ＵＥのデータ送信のために使用されるアンテナポートをより速やかに再構成することが可能になり得る。いくつかの態様では、送信点間フィードバックが、ＵＥアンテナポートを異なる送信点の物理アンテナに対応するように構成することによって可能になり得る。
【００６９】
[0083]いくつかの態様では、ＵＥ固有基準信号によって、この動作が（たとえば、ＬＴＥ−Ａ、Ｒｅｌ−１０以上の状況において）可能になる。ＣＳＩ−ＲＳおよびＤＭ−ＲＳは、ＬＴＥ−Ａの状況において使用される基準信号である。干渉推定が、ＣＳＩ−ＲＳミューティングに基づいて、またはＣＳＩ−ＲＳミューティングによって容易にされて、遂行され得る。同じセルＩＤセットアップの場合、制御チャネルがすべての送信点に共通であるとき、ＰＤＣＣＨ容量が制限される可能性があるので、制御容量の問題が存在する可能性がある。制御容量は、ＦＤＭ制御チャネルを使用することによって拡大され得る。リレーＰＤＣＣＨ（Ｒ−ＰＤＣＣＨ）、または拡張ＰＤＣＣＨ（ｅＰＤＣＣＨ）など、それの拡張が、ＰＤＣＣＨ制御チャネルを補足、増強、または置換するために使用され得る。
【００７０】
ＣｏＭＰシナリオにおけるＳＲＳ問題
[0084]ＣｏＭＰ設計では、１つの困難な部分は、最小のオーバーヘッドでＣｏＭＰ動作に（ＵＬおよび／またはＤＬ  ＣｏＭＰセットに）関与する送信点を識別してグループ分けすることである。ＳＲＳチャネルは、主にＵＬチャネルサウンディングのために使用される。ＣｏＭＰでは、ＳＲＳは、しばしば、ＵＥに最も近いセルを識別するために使用される。リリース８〜１０における現在のＬＴＥ  ＳＲＳチャネルは、ＣｏＭＰ動作をあまり考慮しないで設計されている。その結果、既存のＣｏＭＰ設計は、様々なＣｏＭＰシナリオに対して次元の制限または設計の複雑さのいずれかにつながることがある。
【００７１】
[0085]本開示の態様は、多地点協調（ＣｏＭＰ）システム内で使用するためにサウンディング基準信号（ＳＲＳ）プロシージャを拡張し得る技法を提供する。以下でより詳細に説明するように、ＣｏＭＰ動作に関わるＵＥは、ＳＲＳ信号の２つの異なるセットを送るように構成され得る。たとえば、ＳＲＳの第１のセットは、サービングセルだけを対象とし得、一方で、ＳＲＳの第２のセットは、複数のセルの合成受信（joint reception）を対象とし得る。
【００７２】
[0086]サウンディング基準信号（ＳＲＳ）は、アップリンク上でＵＥによって送信され、異なる周波数におけるチャネルの品質を受信ノードが推定することを可能にする。ＣｏＭＰシステムでは、ＳＲＳは、最も近い送信点を受信ノードが求めることを可能にし得、たとえば、アップリンクまたはダウンリンク上でＵＥにサービスする送信点を動的に切り替える。本明細書で提示される技法は、周期的ＳＲＳ（たとえば、周期的に送信されるようにスケジュールされたＳＲＳ送信）と非周期的ＳＲＳ（たとえば、ダウンリンク送信によってトリガされる単一のＳＲＳ送信）の両方に適用され得る。
【００７３】
[0087]ＳＲＳは、特定のＵＥに割り当てられたスパンの外側の広い帯域幅に対するアップリンクチャネルの品質を推定するために基地局によって使用される。復調基準信号（ＤＲＳ）は、常に、物理アップリンク共有チャネル（ＰＵＳＣＨ）と物理アップリンク制御チャネル（ＰＵＣＣＨ）とに関連付けられ、ＵＥに割り振られた帯域幅に限定されるので、この測定値は、復調基準信号を用いて取得することはできない。物理アップリンク制御チャネルと共用チャネルとに関連付けられたＤＲＳとは異なり、ＳＲＳは、必ずしも任意の物理チャネルと一緒に送信されるとは限らない。ＳＲＳが物理チャネルとともに送信される場合、ＳＲＳは、より広い周波数帯にわたって伸張し得る。推定値によって与えられる情報は、高品質のリソースブロック上でアップリンク送信をスケジュールするために使用される。
【００７４】
[0088]ＳＲＳは、一般的に、所与の送信点によって検出可能なセルＩＤ（たとえば、サービングセルのＰＣＩ）とともにＵＥから送信される。しかしながら、本明細書で説明するように、ＵＥは、異なるセルＩＤを使用してＳＲＳの２つのセットを送信し得る。
【００７５】
[0089]ピコｅＮＢは、マクロｅＮＢとのＸ２接続を有するそれ自体の物理セル識別（ＰＣＩ）またはセルＩＤを有し得る。ピコｅＮＢは、それ自体のスケジューラ動作を有し、複数のマクロｅＮＢとリンクし得る。ＲＲＨは、マクロｅＮＢと同じＰＣＩを有しても有さなくてもよく、より良いバックホールを提供する、マクロｅＮＢを有するファイバー接続を有する。ＲＲＨに対して、スケジューラ動作は、マクロｅＮＢ側だけで実行され得る。フェムトｅＮＢは限定された関連を有し得、ＣｏＭＰ方式において十分に考慮されてこなかった。
【００７６】
[0090]本明細書で提示されるＳＲＳ技法は、いくつかの異なるダウンリンク（ＤＬ）ＣｏＭＰシナリオに適用され得る。たとえば、第１のシナリオ（シナリオ１）では、サイト内ＣｏＭＰを伴う同種の配備が存在し得る。第２のシナリオ（シナリオ２）では、ファイバーで接続された高電力ＲＲＨを伴う同種の配備が存在し得る。
【００７７】
[0091]第３のシナリオ（シナリオ３）では、マクロｅＮＢおよびＲＲＨおよび／またはピコｅＮＢは、異なるＰＣＩを有する。このシナリオでは、共通基準信号（ＣＲＳ）、１次同期信号（ＰＳＳ）、２次同期信号（ＳＳＳ）、および物理ブロードキャストチャネル（ＰＢＣＨ）は、すべて、マクロｅＮＢおよびピコｅＮＢから送信される。このシナリオでは、セル分割利得は、異なるユーザを異なるＲＲＨにスケジュールすることによって容易に達成され得るが、ＣＳＩ−ＲＳまたはＣＲＳに基づくＤＬ  ＣｏＭＰ送信は、ＵＥからの拡張されたフィードバックを必要とする。
【００７８】
[0092]第４のシナリオ（シナリオ４）では、マクロｅＮＢおよびＲＲＨは、同じＰＣＩを有する。ある場合には、マクロｅＮＢだけがＣＲＳ、ＰＳＳ、ＳＳＳ、およびＰＢＣＨを送信し、別の場合には、マクロｅＮＢおよびＲＲＨの両方が、ＣＲＳ、ＰＳＳ、ＳＳＳ、およびＰＢＣＨを送信し得る。同じセルＩＤを有するＲＲＨに対して、マクロｅＮＢおよびＲＲＨは、集中型スケジューリングを用いて「スーパーセル」を効果的に形成する。単一周波数ネットワーク（ＳＦＮ）利得は達成され得るが、セル分割利得ではない。ＳＲＳチャネルは、最も近いＲＲＨを識別するために使用され得、これに基づいて、ＳＲＳチャネルは、ＲＲＨによって閉じられたものだけからＵＥに送信することによって、セル分割を行い得る。
【００７９】
[0093]シナリオ３では、異なるＰＣＩを有する各ＲＲＨを用いて、各ＲＲＨからのＳＲＳチャネルは、異なる構成、シーケンスなどを有することになる。ＤＬ  ＣｏＭＰとアップリンク（ＵＬ）ＣｏＭＰの両方に対して、各ＲＲＨは、他のＲＲＨから送られたＳＲＳを試行する必要がある。代替として、シナリオ４では、同じＰＣＩを有するＲＲＨを用いて、すべてのＲＲＨが、同じＵＥのＳＲＳ送信を復号することを試みることになる。受信信号強度に応じて、ＤＬ  ＣｏＭＰおよびＵＬ  ＣｏＭＰのセットが形成され得る。しかしながら、設計の困難さは、ＳＲＳチャネルの次元であり、すなわち、より多くのＵＥが、ＳＲＳチャネルの制限を押し付けることがある。
【００８０】
[0094]上述のように、本開示の態様は、多地点協調（ＣｏＭＰ）システム内で使用するためにサウンディング基準信号（ＳＲＳ）プロシージャを拡張し得る技法を提供する。本明細書で提示される技法によれば、ＣｏＭＰ動作に関わるＵＥは、ＳＲＳ信号の２つの異なるセットを送るように構成され得る。たとえば、ＳＲＳの第１のセットは、サービングセルだけを対象とし得、一方で、ＳＲＳの第２のセットは、複数のセルの合成受信を対象とし得る。
【００８１】
[0095]たとえば、シナリオ３に対する１つの可能な拡張は、１つのｅＮＢ（マクロｅＮＢ、ＲＲＨ、ピコｅＮＢ、またはフェムトｅＮＢなど）が、それ自体のものとは異なるＰＣＩを有するＳＲＳ送信を割り振ることである。このＰＣＩは、すべての関与するノードの間でファイバー接続またはＸ２接続を介してシグナリングされるかまたは交換される、仮想ＰＣＩまたはグループＰＣＩであってよい。このＳＲＳを受信し得るすべてのノードは、ＵＥとともにＤＬ  ＣｏＭＰまたはＵＬ  ＣｏＭＰに関与し得る。非ＣｏＭＰ動作に対して、ノードのすべては、それ自体のＰＣＩに属するＳＲＳを受信し得る。加えて、ＤＬまたはＵＬのＣｏＭＰ動作に対して、各ノードは、仮想ＰＣＩまたはグループＰＣＩに属するＳＲＳを受信し得る。
【００８２】
[0096]図９は、グループＰＣＩを有するＳＲＳを送信することの一例を示す。この例では、ＵＥは、非ＣｏＭＰ動作に対してＲＲＨ２によってサービスされる。したがって、ＵＥは、ＲＲＨ２のＰＣＩを有する第１のＳＲＳを送る。しかしながら、ＵＥはまた、ＲＲＨ１、ＲＲＨ２、ＲＲＨ３およびマクロｅＮＢからの可能なＣｏＭＰ動作に対して、（グループＰＣＩを指定された）別のＰＣＩにマッピングされたＳＲＳを送る。
【００８３】
[0097]図１０は、グループＰＣＩを有するＳＲＳを送信することの別の一例を示す。この例は、ＵＥが、１つのｅＮＢ（ｅＮＢ０）によってサービスされているが、ｅＮＢ０と別のマクロｅＮＢ（ｅＮＢ１）との間の境界にある境界状況を示す。この例では、（たとえば、シナリオ４の場合のように、）ＲＲＨ２がｅＮＢ０と同じＰＣＩを有し、ＲＲＨ３がｅＮＢ１と同じＰＣＩを有する。この状況では、ＵＥは、それ自体のＰＣＩ（ＰＣＩ０）に加えて隣接ノードのＰＣＩ（ＰＣＩ１）を送り得る。マクロｅＮＢ０は、ＰＣＩ０ならびにＰＣＩ１に従ってＳＲＳを送信するようにＵＥをスケジュールし得る。マクロｅＮＢ、ｅＮＢ１およびｅＮＢ０は、ＵＥに対して共同で送信または受信し得る。
【００８４】
別個の電力制御を用いて異なるＳＲＳを多重化すること
[0098]ＵＥが少なくとも２つのＳＲＳ構成に対して構成されるとき、異なるＳＲＳは、異なる技法に従って多重化され得る。たとえば、ＵＥは、２つのＳＲＳ構成間を切り替えるために、時分割多重（ＴＤＭ）を利用するように構成され得る。このＴＤＭ手法は、平均比に対するピーク（peak to average ratio）にほとんどまたはまったく影響を及ぼさないので、好適な解法であり得る。代替として、ＵＥは、異なる巡回シフト（cyclic shift）または異なるコーム（comb）を有する周波数分割多重（ＦＤＭ）を介して２つのＳＲＳ構成を送信するように構成され得るが、この手法は、両ＳＲＳ構成が同じサブフレーム内で送信される場合、平均比に対するピークを増加することがある。
【００８５】
[0099]ＴＤＭ  ＳＲＳ送信機会に対して、１つのＳＲＳが、サービングセルだけ（の送信点）を対象とすることがある。他のＳＲＳは、複数のセル（の送信点）の合成受信を対象とすることがある。いくつかの態様によれば、２つの異なる電力制御方式が、異なるＳＲＳ構成に対して使用され得る。
【００８６】
[00100]たとえば、第１の電力制御方式は、電力制御方式Ａ（ＰＣ＿Ａ）と呼ばれることがあり、複数の受信点（たとえば、図９に示されるような４つの送信点）または異なる受信点を目標とするＳＲＳに対して使用され得る。第２の電力制御方式は、電力制御方式Ｂ（ＰＣ＿Ｂ）と呼ばれることがあり、単一セル内の受信点を目標とするＳＲＳに対して使用され得る。
【００８７】
[00101]ＰＣ＿Ａは、複数のセルを目標とするＳＲＳが、サービング送信点だけを目標とするＳＲＳに対して、より高い電力オフセットで送信されるという結果をもたらす。ＰＣ＿Ａはまた、アウターループ電力制御をイネーブルにし得、潜在的にＰＵＳＣＨおよびＰＵＣＣＨとは別個の送信電力制御（ＴＰＣ）コマンドが使用され得る（ＳＲＳのための送信電力は、ＰＵＳＣＨおよびＰＵＣＣＨに対する送信電力コマンドに直接結び付けられる必要がないことを意味する）。
【００８８】
[00102]１つまたは複数のサービング受信点（たとえば、図９に示される例におけるＲＲＨ２）を目標とするＰＣ＿Ｂ電力制御方式は、ＰＣ＿Ａ電力制御方式と異なる電力オフセットを利用し得る。この場合、ＳＲＳは異なる電力オフセットで送信され得、アウター電力制御ループはディセーブルにされ得、および／またはＰＣ＿ＢはＰＣ＿Ａと異なるアウターループを使用し得、固定電力オフセットを有するＰＵＳＣＨと同じＴＰＣが使用され得る。
【００８９】
[00103]上記で説明した拡張のシグナリングインパクト（signaling impact）は、ｅＮＢがＵＥに、複数のＳＲＳ構成をシグナリングする必要があることである。関与するノードは、ＤＬ  ＣｏＭＰまたはＵＬ  ＣｏＭＰを対象とする共通のＳＲＳ構成に対する情報を交換する必要がある。また、異なるＳＲＳ構成に対する複数の電力制御レベル、または代替として、異なるＳＲＳ構成の中のデルタオフセット（delta offset）をサポートするために追加のシグナリングが存在することがある。
【００９０】
[00104]ＵＥ送信へのインパクトは、ＵＥが、異なる構成（時間、周波数、シフトおよびコーム）および場合によっては異なる電力オフセットを有する複数のＳＲＳ送信を有することになることである。ｅＮＢ受信へのインパクトは、ｅＮＢが、同じＵＥから複数の構成を有するＳＲＳを受信し得、ｅＮＢが、異なるＳＲＳに対して複数の電力制御ループを実行し得ることである。
【００９１】
[00105]代替の実施形態では、３つ以上のＳＲＳ構成が、ＵＥおよび／またはｅＮＢおよびＲＲＨによって使用され得る。
【００９２】
[00106]図１１は、本開示の態様による、ユーザ機器（ＵＥ）によって実行される例示的な動作１１００を示す。動作１１００は１１０２で開始し、ＵＥが、現在ＵＥにサービスしており、第１のセル識別子に関連付けられた１つまたは複数の基地局を対象とする第１のサウンディング基準信号（ＳＲＳ）を送信する。１１０４で、ＵＥは、第２のセル識別子に関連付けられた１つまたは複数の基地局によって、合成受信を対象とする第２のＳＲＳを送信する。１１０６で、ＵＥは、別個の電力制御方式を用いて第１および第２のＳＲＳの送信電力を調整する。
【００９３】
[00107]図１２は、本開示の態様による、基地局（ＢＳ）によって実行される例示的な動作１２００を示す。動作１２００は１２０２で開始し、ＢＳが、現在ＵＥにサービスしており、第１のセル識別子に関連付けられた１つまたは複数の基地局を対象とする第１のサウンディング基準信号（ＳＲＳ）を送信するようにユーザ機器（ＵＥ）を構成する。１２０４で、ＢＳは、第２のセル識別子に関連付けられた、別のまたは複数の基地局を対象とする第２のＳＲＳを送信するようにＵＥを構成する。１２０６で、ＢＳは、別個の電力制御方式を用いて第１および第２のＳＲＳの送信電力を調整するために、ＵＥに対する１つまたは複数の送信電力制御（ＴＰＣ）コマンドを送る。
【００９４】
[00108]情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９５】
[00109]さらに、本明細書の開示に関連して説明した様々な例示的な論理ブロック、モジュール、回路、およびアルゴリズムステップは、電子ハードウェア、コンピュータソフトウェア、または両方の組合せとして実施できることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実施するか、ソフトウェアとして実施するかは、特定の適用例および全体的なシステムに課される設計制約に依存する。当業者は、説明した機能を特定の適用例ごとに様々な方法で実施することができるが、そのような実施の決定は、本開示の範囲からの逸脱を生じるものと解釈すべきではない。
【００９６】
[00110]本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実施または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。
【００９７】
[00111]本明細書の開示に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、および／または記憶媒体に情報を書き込むことができるように、プロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。一般に、図に示す動作がある場合、それらの動作は、同様の番号をもつ対応するカウンターパートのミーンズプラスファンクション構成要素を有し得る。
【００９８】
[00112]１つまたは複数の例示的な設計では、説明した機能を、ハードウェア、ソフトウェア、ファームウェア、またはそれらの任意の組合せで実施することができる。ソフトウェアで実施する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）（登録商標）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９９】
[00113]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
【図１】
2014533899.tif 000005
【図２】
2014533899.tif 000006
【図２Ａ】
2014533899.tif 000007
【図３】
2014533899.tif 000008
【図４】
2014533899.tif 000009
【図５】
2014533899.tif 000010
【図６】
2014533899.tif 000011
【図７】
2014533899.tif 000012
【図８】
2014533899.tif 000013
【図９】
2014533899.tif 000014
【図１０】
2014533899.tif 000015
【図１１】
2014533899.tif 000016
【図１２】
2014533899.tif 000017
【国際調査報告】
2014533899.tif 000018
2014533899.tif 000019
2014533899.tif 000020